【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
所定のリード角を有する断面隆起状部を外周に備えた一方の構成部材と、この一方の構成部材の断面隆起状部と等しいリード角を有する断面隆起状部を内周に備えた他方の構成部材とからなり、上記一方の構成部材の外周または上記他方の構成部材の内周のいずれかに、上記断面隆起状部のリード角とは異なったリード角を有する他の断面隆起状部を設け、上記両構成部材において、リード角を同じにした断面隆起状部は互いにねじ結合し、上記所定のリード角を有する断面隆起状部と、リード角を異にした他の断面隆起状部とは、互いに摩擦係合する構成にした二構成部材間の締結装置。
【請求項２】
所定のリード角を有する断面隆起状部を外周に備えた一方の構成部材と、この一方の構成部材の断面隆起状部と等しいリード角を有する断面隆起状部を内周に備えた他方の構成部材とからなり、上記一方の構成部材の外周または上記他方の構成部材の内周のいずれかに、上記断面隆起状部のリード角とは異なるリード角を有する他の断面隆起状部を設け、上記両構成部材において、リード角を同じにした断面隆起状部は互いにねじ結合する一方、上記所定のリード角を有するいずれかの断面隆起状部が、リード角を同じにした断面隆起状部とリード角を異にした断面隆起状部との間に圧入されながらねじ込み移動して、両構成部材が一体に固定される二構成部材間の締結装置。
【請求項３】
リード角を同じにした断面隆起状部とリード角を異にした断面隆起状部との間に圧入されながらねじ込み移動する上記断面隆起状部は、その一方の面が、上記他の断面隆起状部に対して摩擦係合するとともに、その他方の面が、上記他の断面隆起状部に隣接した所定のリード角を有する断面隆起状部に面接触状態で係合する構成にした請求項２に記載された二構成部材間の締結装置。
【請求項４】
上記一方の構成部材を円筒状容器で構成するとともに、この円筒状容器の開放端部に断面隆起状部を形成する一方、上記他方の構成部材を蓋で構成するとともに、この蓋の内側壁に断面隆起状部を形成し、上記円筒状容器と蓋とが係合して締結されたとき、上記開放端部の口部に対して上記蓋の内側天井面が接触して締結される請求項１〜３のいずれかに記載された二構成部材間の締結装置。
【請求項５】
上記一方の構成部材が外周壁に断面隆起状部を有する棒状部材からなる一方、上記他方の構成部材が内周壁に断面隆起状部を有するリング状部材からなる請求項１〜３に記載された二構成部材間の締結装置。
【請求項６】
所定のリード角を有する断面隆起状部と、この断面隆起状部とは異なるリード角を有する他の断面隆起状部とを外周に備えた一方の構成部材に対して、上記所定のリード角を有する断面隆起状部と同じリード角を有する断面隆起状部を備えた他方の構成部材を締結する方法であって、前記両構成部材においてリード角を同じにした断面隆起状部を互いにねじ結合させ、上記所定のリード角を有する断面隆起状部と、リード角を異にした他の断面隆起状部とを互いに摩擦係合をさせて、上記両構成部材を互いに締結する二構成部材間の締結方法。
【手続補正２】
【補正対象書類名】明細書
【補正対象項目名】００１２
【補正方法】変更
【補正の内容】
【００１２】
第１の発明は、所定のリード角を有する断面隆起状部を外周に備えた一方の構成部材と、この一方の構成部材の断面隆起状部と等しいリード角を有する断面隆起状部を内周に備えた他方の構成部材とからなり、上記一方の構成部材の外周または上記他方の構成部材の内周のいずれかに、上記断面隆起状部のリード角とは異なったリード角を有する他の断面隆起状部を設け、上記両構成部材において、リード角を同じにした断面隆起状部は互いにねじ結合し、上記所定のリード角を有する断面隆起状部と、リード角を異にした他の断面隆起状部とは、互いに摩擦係合する構成にしたことを特徴とする。
【手続補正３】
【補正対象書類名】明細書
【補正対象項目名】００１３
【補正方法】変更
【補正の内容】
【００１３】
第２の発明は、所定のリード角を有する断面隆起状部を外周に備えた一方の構成部材と、この一方の構成部材の断面隆起状部と等しいリード角を有する断面隆起状部を内周に備えた他方の構成部材とからなり、上記一方の構成部材の外周または上記他方の構成部材の内周のいずれかに、上記断面隆起状部のリード角とは異なるリード角を有する他の断面隆起状部を設け、上記両構成部材において、リード角を同じにした断面隆起状部は互いにねじ結合する一方、上記所定のリード角を有するいずれかの断面隆起状部が、リード角を同じにした断面隆起状部とリード角を異にした断面隆起状部との間に圧入されながらねじ込み移動して、両構成部材が一体に固定されることを特徴とする。
第３の発明は、リード角を同じにした断面隆起状部とリード角を異にした断面隆起状部との間に圧入されながらねじ込み移動する上記断面隆起状部は、その一方の面が、上記他の断面隆起状部に対して摩擦係合するとともに、その他方の面が、上記他の断面隆起状部に隣接した所定のリード角を有する断面隆起状部に面接触状態で係合することを特徴とする。
【手続補正４】
【補正対象書類名】明細書
【補正対象項目名】００１４
【補正方法】変更
【補正の内容】
【００１４】
第４の発明は、上記一方の構成部材を円筒状容器で構成するとともに、この円筒状容器の開放端部に断面隆起状部を形成する一方、上記他方の構成部材を蓋で構成するとともに、この蓋の内側壁に断面隆起状部を形成し、上記円筒状容器と蓋とが係合して締結されたとき、上記開放端部の口部に対して上記蓋の内側天井面が接触して締結されることを特徴とする。
第５の発明は、上記一方の構成部材が外周壁に断面隆起状部を有する棒状部材からなる一方、上記他方の構成部材が内周壁に断面隆起状部を有するリング状部材からなることを特徴とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
第６の発明は、所定のリード角を有する断面隆起状部と、この断面隆起状部とは異なるリード角を有する他の断面隆起状部とを外周に備えた一方の構成部材に対して、上記所定のリード角を有する断面隆起状部と同じリード角を有する断面隆起状部を備えた他方の構成部材を締結する方法であって、前記両構成部材においてリード角を同じにした断面隆起状部を互いにねじ結合させ、上記所定のリード角を有する断面隆起状部と、リード角を異にした他の断面隆起状部とを互いに摩擦係合をさせて、上記両構成部材を互いに締結することを特徴とする。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】変更
【補正の内容】
【００２０】
また、この締結装置における構成部材は、瓶等の円筒状容器における開放端部およびこの開放端部を閉じるための蓋であって、断面隆状部が開放端部の外周に形成された断面隆起状部、および蓋の内周に形成された断面隆起状部であるので、蓋を容器の開放端部にねじ込むことにより装着することができるが、その際、容器の開放端部の断面隆起状部と蓋の内側璧の断面隆起状部とはリード角が異なるので、ねじ山同士が互いの移動後に係合して、さらにねじ込み作業を続けることにより摩擦係合を行うことになり、両者は固定状態になって、蓋が容器の開放端部に締結されることができる。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】変更
【補正の内容】
【００２４】
以上の説明から明らかなように、本発明に係わる多種のリード角を有する断面隆起状部を備えた締結装置は、小さな回転力で締結が可能であり、かつ締結力を安定的に得ることができるなど、締結装置の品質を向上させることができるという優れた効果がある。